(57)【要約】      （修正有）【課題】製造および組立コストが安くて、ヒンジ全体が小型にすることができチルトヒンジを提供する。【解決手段】機器本体に固定される軸受ブラケット１と、該軸受ブラケット１の中心部に開設された円形のシャフト挿通穴に回転可能に挿設されるシャフト部２ｂを有すると共に、蓋兼用ディスプレイ等の開閉部材に取り付け固定される取付部を有する回転シャフト２と、上記シャフト部２ｂを一緒に回転するように挿設すると共に、上記軸受ブラケットと摩擦接触する第１可動フリクションプレート３と、上記軸受ブラケット１の他側面に固定される固定フリクションプレート４と、シャフト部２ｂを一緒に回転するように挿設すると共に、上記固定フリクションプレート４と摩擦接触する第２可動フリクションプレート５と、シャフト部２ｂを回転可能に挿設すると共に波形スプリングワッシャー６と、シャフト部２ｂの先端部の固着部材と、から構成される。【選択図】図１
2008309242.tif 000002
【特許請求の範囲】
【請求項１】
ノート型パソコン等の機器本体に取り付け固定される軸受ブラケットと、
該軸受ブラケットの中心部に開設された円形のシャフト挿通穴に回転可能に挿設されるシャフト部を有すると共に、上記機器本体の蓋兼用ディスプレイ等の開閉部材に取り付け固定される取付部を有する回転シャフトと、
該回転シャフトの上記シャフト部を一緒に回転するように挿設すると共に、上記軸受ブラケットの一側摩擦面と摩擦接触する第１可動フリクションプレートと、
上記軸受ブラケットの他側面に固定されると共に、摩擦面を有する固定フリクションプレートと、
上記回転シャフトのシャフト部を一緒に回転するように挿設すると共に、上記固定フリクションプレートの摩擦面と摩擦接触する第２可動フリクションプレートと、
上記回転シャフトのシャフト部を回転可能に挿設すると共に、円周に沿って厚み方向に振幅する波形に形成された波形スプリングワッシャーと、
上記回転シャフトのシャフト部の先端部に固着される固着部材と、
から構成されることを特徴とするチルトヒンジ。
【発明の詳細な説明】
【技術分野】
【０００１】
本発明は、ノート型パソコン等の機器本体に対して、その蓋兼用ディスプレイ等の開閉部材を、開閉自在に連結すると共に、該開閉部材を任意の開角度に保持するチルトヒンジに関するものである。
【背景技術】
【０００２】
従来の、この種のチルトヒンジとしては、例えば、装置本体側に取り付けられるブラケットと、このブラケットの軸受部に回転自在に取り付けられたところの開閉体の端部へ取り付けられる構造の回転シャフトと、この回転シャフトの大径部と前記軸受部の一側面との間に該回転シャフトを中心部に挿通させつつ該回転シャフトと共に回転するように介在させたフリクションプレートと、前記軸受部の他側面に前記回転シャフトを中心部に挿通させつつ設けられた８枚の皿バネと、前記回転シャフトの一端に前記皿バネを軸受部側へ押圧するために取り付けられたナットと、このナットと前記皿バネとの間に前記シャフトを中心部に挿通さえつつ前記回転シャフトと共に回転するように介在された押えワッシャーとで構成されたもの、があった。
【０００３】
しかしながら、上記従来のチルトヒンジは、皿バネの枚数が８枚と非常に多いため、製造および組立コストが高くなるだけでなく、ヒンジ全体が大型となる等の問題点があった。
【特許文献１】特開平１０−０２６１２６号公報
【発明の開示】
【発明が解決しようとする課題】
【０００４】
本発明が解決しようとする課題は、製造および組立コストが安くて、ヒンジ全体が小型にすることができるチルトヒンジを提供することにある。
【課題を解決するための手段】
【０００５】
本発明のチルトヒンジは、ノート型パソコン等の機器本体に取り付け固定される軸受ブラケットと、該軸受ブラケットの中心部に開設された円形のシャフト挿通穴に回転可能に挿設されるシャフト部を有すると共に、上記機器本体の蓋兼用ディスプレイ等の開閉部材に取り付け固定される取付部を有する回転シャフトと、該回転シャフトの上記シャフト部を一緒に回転するように挿設すると共に、上記軸受ブラケットの一側摩擦面と摩擦接触する第１可動フリクションプレートと、上記軸受ブラケットの他側面に固定されると共に、摩擦面を有する固定フリクションプレートと、上記回転シャフトのシャフト部を一緒に回転するように挿設すると共に、上記固定フリクションプレートの摩擦面と摩擦接触する第２可動フリクションプレートと、上記回転シャフトのシャフト部を回転可能に挿設すると共に、円周に沿って厚み方向に振幅する波形に形成された波形スプリングワッシャーと、上記回転シャフトのシャフト部の先端部に固着される固着部材と、から構成されることを特徴とする。
【発明の効果】
【０００６】
本発明のチルトヒンジは、製造および組立コストが安くて、ヒンジ全体が小型にすることができる。
【発明を実施するための最良の形態】
【０００７】
図１は、本発明のチルトヒンジの一実施例を示すものであって、１は軸受ブラケット、２は回転シャフト、３は第１可動フリクションプレート、４は固定フリクションプレート、５は第２可動フリクションプレート、６は波形スプリングワッシャー、７は押えワッシャー、８は締付ナットである。
【０００８】
上記軸受ブラケット１は、その周囲に形成された取付穴１ａ（本実施例では３個）を介してノート型パソコン等の機器本体（図示せず）に直接あるいは適当な取付部材を介して間接的に取り付け固定される。該軸受ブラケット１の中心部に開設された中心部には、円形のシャフト挿通穴１ｂが開設されている。
【０００９】
上記回転シャフト２は、上記機器本体の蓋兼用ディスプレイ等の開閉部材（図示せず）に取り付け固定される取付部２ａと、該取付部２ａより小径で同軸に一体形成されると共に断面が小判形のシャフトシャフト部２ｂから成る。該シャフト部２ｂは、上記軸受ブラケット１の上記シャフト挿通穴１ｂに回転自在に挿設される。
【００１０】
上記第１可動フリクションプレート３は、上記シャフト部２ｂと同じ小判型の挿通穴３ａを有し、これに挿設される該シャフト部２ｂと一体的に回転するようになっている。該第１可動フリクションプレート３には、潤滑剤用の小穴３ｂが形成されている。
【００１１】
上記固定フリクションプレート４は、その中心部に円形の挿通穴４ａを形成すると共に、その外周部に係止片４ｂを突設する。該係止片４ｂの先端部は上記軸受ブラケット１側に折り曲げられていて、該軸受ブラケット１に形成された係止穴１ｃに差し込み係止され、その結果、該固定フリクションプレート４は、上記軸受ブラケット１と一体に固定されるようになっている。
【００１２】
上記第２可動フリクションプレート５は、上記回転シャフト２の上記シャフト部２ｂと同じ小判型の挿通穴５ａを有し、これに挿設される該シャフト部２ｂと一体的に回転するようになっている。該第２可動フリクションプレート５には、潤滑剤用の小穴５ｂが形成されている。
【００１３】
上記波形スプリングワッシャー６は、図２からも明らかなように、中心部に円形の挿通穴６ａを有し、上記回転シャフト２の上記シャフト部２ｂが回転可能に挿設されるようになっている。また、該波形スプリングワッシャー６は、円周に沿って厚み方向に振幅を有する波形に形成され、しかも、１ｍｍ〜３ｍｍの厚みを有する。
【００１４】
上記押えワッシャー７は、上記回転シャフト２の上記シャフト部２ｂと同じ小判型の挿通穴７ａを有し、これに挿設される該シャフト部２ｂと一体的に回転するようになっている。上記締付ナット８は、上記回転シャフト２の上記シャフト部２ｂの先端部に螺着するようになっている。
【００１５】
上記回転シャフト２の上記シャフト部２ｂを、上記第１可動フリクションプレート３、上記軸受ブラケット１、上記固定フリクションプレート４、上記第２可動フリクションプレート５、上記波形スプリングワッシャー６、および上記押えワッシャー７を順次挿設して、上記締付ナット８により所定の力で締め付けると、上記第２可動フリクションプレート５と上記押えワッシャー７に押圧状態で挟まれた上記波形スプリングワッシャー６の反発力により、上記第１可動フリクションプレート３と上記軸受ブラケット１および上記固定フリクションプレート４と上記第２可動フリクションプレート５との間に所定の摩擦力が発生し、その結果、上記軸受ブラケット１と上記回転シャフト２の間に摩擦トルクが生じる。
【００１６】
上記実施例の波形スプリングワッシャー６は、円周に沿って厚み方向に振幅を有する波形に形成され、しかも、１ｍｍ〜３ｍｍの厚みを有するので、従来の皿バネの数枚に代えて使用することができる。
【００１７】
本発明のチルトヒンジは、上記実施例に限定するものではなく、上記締付ナット８は、上記シャフト部２ｂの先端部にカシメ状態で固着される固着部材であってもよい。また、上記波形スプリングワッシャー６の波形は、山および谷がそれぞれ１８０°に向かい合って、２個ずつ形成されているが、これに限定するものではなく、例えば、山および谷がそれぞれ１２０°にずれて３個ずつ形成されていてもよい。
【図面の簡単な説明】
【００１８】
【図１】本発明のチルトヒンジの一実施例を示す分解斜視図である。
【図２】図１のチルトヒンジの組付図である。
【図３】波形スプリングワッシャーの形状説明図である。
【符号の説明】
【００１９】
１    軸受ブラケット
２    回転シャフト
２ｂ  シャフト部
３    第１可動フリクションプレート
４    固定フリクションプレート
５    第２可動フリクションプレート
６    波形スプリングワッシャー
７    押えワッシャー
８    締付ナット
【図１】
2008309242.tif 000003
【図２】
2008309242.tif 000004
【図３】
2008309242.tif 000005